(57)【要約】手乾燥装置は本体（３０）と、電動送風機（２）と、吹出ノズル（３）とを有している。そして、本体（３０）の下面（４３）の２つの側面（４２）側に底面吸込口（７）が設けられている。底面吸込口（７）から電動送風機（２）のファン吸込口（６）までの吸込風路（９）において、複数の吸込気流（８）が合流する合流部（４４）より前面（３９）側に、フィルターケース（１１）が設けられている。
2014156052.tif 000002
【特許請求の範囲】
【請求項１】
前面、背面、側面、および下面を備えた本体と、
前記本体内部に設けられた電動送風機と、
前記下面に設けられた吹出ノズルと、を有し、
前記吹出ノズルから吹出した吹出気流により手を乾燥させる手乾燥装置であって、
前記下面の２つの前記側面側に吸込気流を吸込む底面吸込口が設けられ、前記底面吸込口から前記電動送風機のファン吸込口までの吸込風路において複数の前記吸込気流が合流する合流部より前記前面側にフィルターケースが設けられたことを特徴とする手乾燥装置。
【請求項２】
前記吸込風路は、前記下面に沿って設けられたことを特徴とする請求項１記載の手乾燥装置。
【請求項３】
前記本体はさらに前記下面から下方に前記背面に連なる乾燥室壁面および前記側面に連なる乾燥室側壁と、前記乾燥室壁面および前記乾燥室側壁に連なる水受けと、を備え、
前記水受けと前記下面と前記乾燥室壁面とにより囲まれた乾燥室が形成され、
前記乾燥室側壁下方の前記水受けに水受け吸込口が設けられ、
前記乾燥室側壁に前記水受け吸込口と前記底面吸込口とを連通する側面吸込風路が備えられたことを特徴とする請求項１記載の手乾燥装置。
【請求項４】
前記フィルターケースと前記本体の背面壁とを接続する整流壁面が設けられたことを特徴とする請求項３記載の手乾燥装置。
【請求項５】
前記下面に前記フィルターケースを着脱する着脱口が設けられ、
前記フィルターケースは前記背面に対して傾斜させ前記着脱口から前記乾燥室の手挿入口に向かって着脱する請求項３記載の手乾燥装置。
【請求項６】
前記水受けの底部に排水口が設けられ、
前記水受けの下方かつ前記水受け吸込口の直下を避けて、前記排水口から排水された水を受ける水受けカップが備えられたことを特徴とする請求項３記載の手乾燥装置。
【請求項７】
前記水受けカップに水受けカップフィルターケースが設けられたことを特徴とする請求項６記載の手乾燥装置。
【請求項８】
前記水受けと前記水受けカップとの間に前記水受けカップの上面を覆う蓋形状であり前記水受けカップが着脱する水受けカップカバーが設けられ、
前記水受けカップカバーに排水開口が設けられ、
前記排水口から排水された水は前記排水開口を通って前記水受けカップに流れることを特徴とする請求項６記載の手乾燥装置。
【発明の詳細な説明】
【技術分野】
【０００１】
本発明は、手乾燥装置に関する。
【背景技術】
【０００２】
従来の手乾燥装置では、濡れた手を乾かす際、手乾燥室内に挿入した手に吹出気流を衝突させて手表面の水滴を吹き飛ばし、手を乾燥させている。使用者は手の隅々まで乾かそうとした時、手乾燥室の奥まで手を挿入したり、手乾燥室内において手を揉み合わせたりする為、広い手乾燥室が望まれている。【０００３】
一方、吹き飛ばされた水滴が周囲に飛散するため、手乾燥装置の空気吸込口は飛散した水滴が入りにくい位置に設けられる必要がある。そこで、手乾燥装置の底面の両側部に空気吸込口が設けられ、手乾燥室の背面両側に吸込気流が通る風路が設けられている（例えば、特許文献１参照）。【０００４】
以下、従来の手乾燥装置について図７、図８を参照しながら説明する。図７は従来の手乾燥装置の側面断面図、図８は同手乾燥装置の背面図である。図７および図８に示すように、手乾燥装置は壁面１０１に取付けられ、高圧（０．５ｋＰａ〜１５ｋＰａ）の気流を送出する電動送風機１０２が手乾燥装置の内部に備えられている。【０００５】
電動送風機１０２が運転を開始すると、手乾燥装置の底面の壁面寄りの両側部に設けられた吸込口１０３から吸込気流１０４が手乾燥装置の本体内に流入する。そして吸込気流１０４は、電動送風機１０２によって昇圧された後、手挿入口１０５の上方に設けられたノズル１０６から吹出気流１０７として送出される。それぞれの吸込口１０３の近傍には、フィルターを配置したフィルターケース１０８が設けられている。吸込気流１０４はフィルターケース１０８を通過した後に、手乾燥室１０９の背面両側の側面吸込風路１１０を通り、手乾燥室１０９の上方において合流する。
【先行技術文献】
【特許文献】
【０００６】
【特許文献１】特開２０００−１８０号公報
【発明の概要】
【０００７】
このような従来の手乾燥装置では、手乾燥室１０９の幅を大きくするために側壁を小さくする場合、２つ配置したフィルターケース１０８の風上側の吸込口１０３の開口面積と、風下側の側面吸込風路１１０の断面積とが小さくされる必要があった。そのため、フィルターケース１０８内の気流速が上昇し、フィルターケース１０８における圧力損失が大きくなるというという課題があった。
【０００８】
そのため本発明の手乾燥装置は前面、背面、側面、および下面を備えた本体と、本体内部に設けられた電動送風機と、下面に設けられた吹出ノズルとを有し、吹出ノズルから吹出した吹出気流により手を乾燥させる。下面の２つの側面側に、吸込気流を吸込む底面吸込口が設けられている。底面吸込口から電動送風機のファン吸込口までの吸込風路において、複数の吸込気流が合流する合流部より前面側にフィルターケースが設けられている。
【０００９】
このような手乾燥装置は、左右両側面側からの吸込風路が合流する合流部より前面側の風路断面積が大きくなり、フィルターケースにおける風速が低下し、圧力損失が低減される。
【図面の簡単な説明】
【００１０】
【図１】図１は、本発明の実施の形態１の手乾燥装置の側面断面図である。
【図２】図２は、同手乾燥装置の背面斜視図である。
【図３】図３は、本発明の実施の形態２の手乾燥装置の側面断面図である。
【図４】図４は、同手乾燥装置の背面斜視図である。
【図５】図５は、本発明の実施の形態３の手乾燥装置の側面断面図である。
【図６】図６は、同手乾燥装置の一部分解背面斜視図である。
【図７】図７は、従来の手乾燥装置の側面断面図である。
【図８】図８は、同手乾燥装置の背面図である。
【発明を実施するための形態】
【００１１】
以下、本発明の実施の形態について図面を参照しながら説明する。
【００１２】
（実施の形態１）
図１は本発明の実施の形態１の手乾燥装置の側面断面図、図２は同手乾燥装置の背面斜視図である。図１および図２に示すように手乾燥装置は、箱型の本体３０と、電動送風機２と、吹出ノズル３とを有している。
【００１３】
ここで本体３０は、背面４０を壁面１に対向させて壁面１に備え付けられている。また本体３０は前面３９、背面４０、側面４２、および下面４３を備えている。電動送風機２は、本体３０の内部に設けられている。吹出ノズル３は、本体３０の下面４３に設けられている。そして手乾燥装置は、吹出ノズル３から吹出した吹出気流４により手５を乾燥させる。電動送風機２はターボ型の遠心送風機であり、ファン吸込口６が背面４０側に向けられている。
【００１４】
電動送風機２が運転されると、電動送風機２に流入した吸込気流８が昇圧され、およそ０．５ｋＰａ〜１５ｋＰａの高圧の噴射空気（吹出気流４）となって吹出ノズル３から本体３０の下方に向けて送出される。使用者が手乾燥装置の正面に立って、手洗い後の濡れた手５を本体３０の下側にかざす。吹出ノズル３から送出された吹出気流４が、手５の水分を吹き飛ばし、蒸発させて手５を乾燥させる。
【００１５】
下面４３の両側部には、電動送風機２のファン吸込口６と連通する底面吸込口７が設けられている。すなわち吸込気流８を吸込む底面吸込口７が、下面４３の２つの側面４２側に設けられている。
【００１６】
また吸込風路９は、底面吸込口７から電動送風機２のファン吸込口６までの風路である。本体３０の背面４０側には、両側部の底面吸込口７から複数の吸込気流８が合流する合流部４４が吸込風路９にある。合流部４４において合流した吸込気流８の合流気流１０は、フィルターケース１１を通りファン吸込口６から電動送風機２に流入する。フィルターケース１１へは、フィルターが着脱可能である。
【００１７】
フィルターケース１１は、合流部４４より前面３９側に配置されている。また吸込風路９は、本体３０の下面４３に沿って設けられている。
【００１８】
そして底面吸込口７から吸い込まれた吸込気流８は、吸込風路９内を通り、本体３０の下面４３に沿って左右から中央部に集まる。本体３０の下部中央部は、吸込風路９の合流部４４である。合流部４４では、吸込風路９における本体３０の背面壁４１よりも前面３９側に引き込んだように風路が形成されている。そして、合流部４４より前面３９側にフィルターケース１１が設けられている。合流部４４より前面３９側は、左右両側の吸込風路９の風路断面積の合計よりも大きな風路断面積である。
【００１９】
フィルターケース１１通過後の吸込風路９は、本体３０内部を電動送風機２に沿って設けられている。吸込気流８は、本体３０の背面４０側に向けられたファン吸込口６から電動送風機２に吸い込まれる。
【００２０】
上記構成により、吸込風路９が合流して２つの風路断面積合計となるため、フィルターケース１１を通過する合流気流１０の風速が低下し、フィルターケース１１における圧力損失が低減する。
【００２１】
また、吸込風路９が本体３０の下面４３方向に拡大されるため、吸込風路９の断面積が大きくなり、フィルターケース１１における合流気流１０の風速が低下する。また吸込気流８は、本体３０の下面４３に沿って左右から中央部に集まり、フィルターケース１１に正対するように合流気流１０となって風向を変える。そのため合流気流１０は、フィルターケース１１にスムーズに流入し、フィルターケース１１における圧力損失が低減する。
【００２２】
（実施の形態２）
本発明の実施の形態２では、実施の形態１と同じ構成要素には同一の符号を付してその詳細な説明を省略し、異なる点のみを説明する。図３は本発明の実施の形態２の手乾燥装置の側面断面図、図４は同手乾燥装置の背面斜視図である。
【００２３】
図３および図４に示すように、実施の形態２の手乾燥装置は、実施の形態１の手乾燥装置の本体３０の下部に、水受け１２が設けられ、乾燥室１３が形成されている。すなわち本体３０の下部には、吹出ノズル３から吹き出した吹出気流４を受け、吹き飛ばした水を受ける水受け１２が設けられている。水受け１２と本体３０とが背面４０側において接続され、乾燥室壁面１４が形成されている。そして乾燥室１３が水受け１２と、本体３０の下面４３と、乾燥室壁面１４とに囲まれて形成されている。
【００２４】
水受け１２に向かって左右両側下部には、水受け吸込口１５が設けられている。ここで、「向かって」とは、使用者が手５を挿入する際、本体３０に正対する方向である。乾燥室壁面１４の両側面には、水受け吸込口１５と底面吸込口７とを連通する側面吸込風路１６が備えられている。
【００２５】
また、乾燥室壁面１４の両側部分（乾燥室１３に向かって左右の両側）が前方に突出され、乾燥室側壁１４ａが形成されている。そして乾燥室側壁１４ａの内部が、側面吸込風路１６になる。すなわち乾燥室側壁１４ａに、側面吸込風路１６が備えられている。乾燥室壁面１４が前方に突出しているため、手乾燥装置の使用時に乾燥室１３からの水飛散が防止される。
【００２６】
このように本体３０は、さらに下面４３から下方に背面４０に連なる乾燥室壁面１４および側面４２に連なる乾燥室側壁１４ａと、乾燥室壁面１４および乾燥室側壁１４ａに連なる水受け１２とを備えている。水受け吸込口１５は、乾燥室側壁１４ａ下方の水受け１２に設けられている。
【００２７】
フィルターケース１１は、側面吸込風路１６には設けられず、本体３０内の吸込風路９の合流部４４より前面３９側に設けられている。すなわち側面吸込風路１６には、フィルターケース１１が配置されていないので、側面吸込風路１６の断面積は小さくできる。従って乾燥室１３が広くされるために、側面吸込風路１６は小さくできる。このように乾燥室１３が広くされても、フィルターケース１１の圧力損失が大きくなることがない。
【００２８】
また吸込風路９の合流部４４は、本体３０の内側に向かって風路が形成されるように、本体３０の天面側に整流壁面１７が設けられている。整流壁面１７は、フィルターケース１１の上辺と本体３０の背面壁４１とが接続して設けられる。すなわち、整流壁面１７と壁面１とは近接し、その隙間は０〜１０ｍｍである。
【００２９】
上記構成により、吸込風路９の左右から合流する吸込気流８は、吸込風路９の合流部４４において、整流壁面１７によって上部方向への流れが規制される。そして吸込気流８の風向は、フィルターケース１１に正対する方向に変えられ、吸込気流８はフィルターケース１１にスムーズに整流されながら流入する。そのため、フィルターケース１１による圧力損失が低減される。さらに、背面壁４１は背面４０よりも本体３０側に引っ込んでいる。
【００３０】
また、下面４３にフィルターケース１１を着脱する着脱口１８が設けられている。フィルターケース１１は、着脱口１８から乾燥室１３の手挿入口１３ａに向かって着脱できるように背面４０に対して傾斜させて設けられている。すなわちフィルターケース１１は、着脱口１８側を手前側として、フィルターケース１１の奥側が手前側よりも背面４０に近くなるような傾斜が設けられている。
【００３１】
上記構成により、フィルターケース１１が着脱される際、手５が乾燥室壁面１４に接触しにくくなり、メンテナンスも容易になる。さらにフィルターケース１１は、その上部が下部よりも吸込側になるように斜めに傾け、合流気流１０はフィルターケース１１に対して正対するように流入する。そのため合流気流１０は、フィルターケース１１を通過しやすくなり、フィルターケース１１における圧力損失が低減される。このように、手乾燥装置はメンテナンスが容易になり、かつフィルターケース１１の圧力損失が大きくなることがない。
【００３２】
（実施の形態３）
本発明の実施の形態３では、実施の形態１、２と同じ構成要素には同一の符号を付してその詳細な説明を省略し、異なる点のみを説明する。図５は本発明の実施の形態３の手乾燥装置の側面断面図、図６は同手乾燥装置の一部分解背面斜視図である。
【００３３】
図５、図６に示すように水受けカップ５３は、水受け吸込口１５の直下を避けて、水受け１２の下方に設けられる。例えば水受けカップ５３は、水受け吸込口１５を塞がないように、水受け吸込口１５の形状に沿う凹部形状である。
【００３４】
なお水受けカップ５３は、図６では凹部形状であるが、水受け吸込口１５の直下において水受けカップ５３に開口が設けられてもよい。
【００３５】
水受け１２の背面４０側の下部には、水受け吸込口１５が設けられている。また水受け１２の底部に、排水口５１が設けられている。そして排水口５１から排水された水を受ける水受けカップ５３は、水受け１２の下方、かつ水受け吸込口１５の直下を避けて配置されている。
【００３６】
このように水受けカップ５３が、水受け吸込口１５を塞がずに設けられることにより、吸込風路９の圧力損失が増加せずに、排水された水がある程度溜めておける。その結果、メンテナンス頻度が少なくなり、圧力損失の増加による性能の低下が防がれる。
【００３７】
また、水受け吸込口１５の直下の水受けカップ５３に、水受けカップフィルターケース５４が設けられている。その結果、水受け吸込口１５からの異物の侵入により側面吸込風路１６が狭まり、圧力損失が増加することが防がれる。また水受けカップ５３に溜まった水の排水時、水受けカップフィルターケース５４に配置したフィルターの清掃もできるため、フィルターの目詰まりも抑制される。このように異物の侵入による性能の低下が防止されるとともに、メンテナンスも容易になる。
【００３８】
また水受けカップカバー５２が、水受け１２と水受けカップ５３との間に設けられている。水受けカップカバー５２は、水受けカップ５３の上面を覆う蓋形状であり、水受けカップ５３が着脱する。そして水受けカップカバー５２には、排水開口５５が設けられている。排水口５１から排水された水は、排水開口５５を通って水受けカップ５３に流れる。
【００３９】
水受けカップ５３に水受けカップカバー５２が設けられたことにより、メンテナンス時に水受けカップ５３に溜まった水が排水される際、水がこぼれにくくなる。
【産業上の利用可能性】
【００４０】
本発明の手乾燥装置は洗面所、トイレ、およびキッチン等において使用される手の乾燥目的以外に、ノズル構造を用いた設備乾燥機器への転用により、短時間に物体を乾燥させる工業用の乾燥用途にも適用できる。
【符号の説明】
【００４１】
１    壁面
２    電動送風機
３    吹出ノズル
４    吹出気流
５    手
６    ファン吸込口
７    底面吸込口
８    吸込気流
９    吸込風路
１０    合流気流
１１    フィルターケース
１２    水受け
１３    乾燥室
１３ａ    手挿入口
１４    乾燥室壁面
１４ａ    乾燥室側壁
１５    水受け吸込口
１６    側面吸込風路
１７    整流壁面
１８    着脱口
３０    本体
３９    前面
４０    背面
４１    背面壁
４２    側面
４３    下面
４４    合流部
５１    排水口
５２    水受けカップカバー
５３    水受けカップ
５４    水受けカップフィルターケース
５５    排水開口
【図１】
2014156052.tif 000003
【図２】
2014156052.tif 000004
【図３】
2014156052.tif 000005
【図４】
2014156052.tif 000006
【図５】
2014156052.tif 000007
【図６】
2014156052.tif 000008
【図７】
2014156052.tif 000009
【図８】
2014156052.tif 000010
【国際調査報告】
2014156052.tif 000011
2014156052.tif 000012